【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
外部装置と通信可能な撮像装置であって、
前記外部装置との間の距離を測定する距離測定手段と、
画像データを表示部に表示する表示手段と、
前記外部装置から画像データを受信する通信手段と、
前記距離測定手段により測定された距離が定められた範囲より大きい場合には、前記通信手段により前記外部装置から受信した画像データを前記表示部に表示するように前記表示手段を制御する表示制御手段とを備えることを特徴とする撮像装置。
【請求項２】
前記通信手段は、前記距離測定手段により測定された距離が定められた範囲より大きい場合、前記画像データの受信を行うことを特徴とする請求項１に記載の撮像装置。
【請求項３】
前記表示制御手段は、前記距離測定手段により測定された距離が定められた範囲より小さい場合、自装置が有するメモリに記憶された画像データを前記表示部に表示するよう制御することを特徴とする請求項１または２に記載の撮像装置。
【請求項４】
前記表示制御手段は、前記距離測定手段によって測定された距離が定められた範囲より大きい場合には、前記表示部に表示される表示画面を分割して自装置が有するメモリに記憶されている画像データと、前記通信手段により前記外部装置から受信した画像データとを表示するよう制御することを特徴とする請求項１乃至３の何れか１項に記載の撮像装置。
【請求項５】
前記距離測定手段によって測定された距離が定められた範囲より大きい場合において、前記表示部に表示されている画像の変更要求があった場合は、変更する画像データを前記外部装置に対して要求する画像データ要求手段をさらに有することを特徴とする請求項１乃至４の何れか１項に記載の撮像装置。
【請求項６】
前記表示制御手段は、前記距離測定手段により測定された距離が前記定められた範囲より大きくなった場合は、前記定められた範囲より大きくなった旨を前記表示部に表示するよう制御することを特徴とする請求項１乃至５の何れか１項に記載の撮像装置。
【請求項７】
外部装置と通信可能な撮像装置であって、
前記外部装置との間の通信電波状態を測定する通信電波測定手段と、
画像データを表示部に表示する表示手段と、
前記通信電波測定手段により測定された通信電波状態が定められた値より悪い場合に、前記外部装置から画像データを受信する通信手段と、
前記通信電波測定手段により測定された通信電波状態が定められた値より悪い場合には、前記通信手段により前記外部装置から受信した画像データを前記表示部に表示するように前記表示手段を制御する表示制御手段とを備えることを特徴とする撮像装置。
【請求項８】
前記表示制御手段は、前記通信電波測定手段により測定された通信電波状態が定められた値より良好な場合には、自装置が有するメモリに記憶されている画像データを前記表示部に表示するよう制御することを特徴とする請求項７に記載の撮像装置。
【請求項９】
前記表示制御手段は、前記通信電波測定手段によって測定された通信電波状態が定められた値より悪い場合には、前記表示部に表示される表示画面を分割して自装置が有するメモリに記憶されている画像データと前記通信手段により前記外部装置から受信した画像データとを表示するよう制御することを特徴とする請求項７または８に記載の撮像装置。
【請求項１０】
前記通信電波測定手段によって測定された通信電波状態が定められた値より良好である場合に、前記外部装置が保持しているすべての画像データを前記外部装置に対して要求する画像データ要求手段をさらに有することを特徴とする請求項７乃至９の何れか１項に記載の撮像装置。
【請求項１１】
前記通信電波測定手段により測定された通信電波状態が定められた値より悪い場合において、自装置が有するメモリに記憶されていない画像データが前記外部装置に追加されている場合は、前記画像データ要求手段は、前記追加された画像データを前記外部装置に対して要求することを特徴とする請求項１０に記載の撮像装置。
【請求項１２】
前記通信電波測定手段により測定された通信電波状態が定められた値より悪い場合において、自装置が有するメモリに記憶されている画像データの中に前記外部装置において削除された画像データがある場合は、前記外部装置において削除された画像データを前記メモリに記憶されている画像データの中から削除するように制御する制御手段をさらに有することを特徴とする請求項７乃至１１の何れか１項に記載の撮像装置。
【請求項１３】
前記表示制御手段は、前記通信電波測定手段によって測定された通信電波状態が定められた値より悪い場合は、前記通信電波状態が定められた値より悪い旨を前記表示部に表示するよう制御することを特徴とする請求項７乃至１２の何れか１項に記載の撮像装置。
【請求項１４】
使用者の操作により入力信号を入力する操作部を有し、
前記表示制御手段は、前記操作部に入力された入力信号に基づいて表示の切り替えを行うことを特徴とする請求項６または１３に記載の撮像装置。
【請求項１５】
外部装置と通信可能な撮像装置の制御方法であって、
前記外部装置との間の距離を測定する距離測定工程と、
画像データを表示部に表示する表示制御工程と、
前記外部装置から画像データを受信する通信工程とを備え、
前記表示制御工程においては、前記距離測定工程において測定された距離が定められた範囲より大きい場合には、前記通信工程において前記外部装置から受信した画像データを前記表示部に表示するように制御することを特徴とする撮像装置の制御方法。
【請求項１６】
外部装置と通信可能な撮像装置の制御方法であって、
前記外部装置との間の通信電波状態を測定する通信電波測定工程と、
画像データを表示部に表示する表示制御工程と、
前記通信電波測定工程において測定された通信電波状態が定められた値より悪い場合に、前記外部装置から画像データを受信する通信工程とを備え、
前記表示制御工程においては、前記通信電波測定工程において測定された通信電波状態が定められた値より悪い場合には、前記通信工程において前記外部装置から受信した画像データを前記表示部に表示するように制御することを特徴とする撮像装置の制御方法。
【請求項１７】
外部装置との間の距離を測定する距離測定工程と、
画像データを表示部に表示する表示制御工程と、
前記外部装置から画像データを受信する通信工程とをコンピュータに実行させ、
前記表示制御工程においては、前記距離測定工程において測定された距離が定められた範囲より大きい場合には、前記通信工程において前記外部装置から受信した画像データを前記表示部に表示するように制御することを特徴とするプログラム。
【請求項１８】
外部装置との間の通信電波状態を測定する通信電波測定工程と、
画像データを表示部に表示する表示制御工程と、
前記通信電波測定工程において測定された通信電波状態が定められた値より悪い場合に、前記外部装置から画像データを受信する通信工程とをコンピュータに実行させ、
前記表示制御工程においては、前記通信電波測定工程において測定された通信電波状態が定められた値より悪い場合には、前記通信工程において前記外部装置から受信した画像データを前記表示部に表示するように制御することを特徴とするプログラム。
【手続補正２】
【補正対象書類名】明細書
【補正対象項目名】００１０
【補正方法】変更
【補正の内容】
【００１０】
本発明は前述の問題点に鑑み、相手機器の画像の閲覧を円滑に行うことができるようにすることを目的としている。
【手続補正３】
【補正対象書類名】明細書
【補正対象項目名】００１１
【補正方法】変更
【補正の内容】
【００１１】
上記目的を達成するために、本発明の撮像装置は、外部装置と通信可能な撮像装置であって、前記外部装置との間の距離を測定する距離測定手段と、画像データを表示部に表示する表示手段と、前記外部装置から画像データを受信する通信手段と、前記距離測定手段により測定された距離が定められた範囲より大きい場合には、前記通信手段により前記外部装置から受信した画像データを前記表示部に表示するように前記表示手段を制御する表示制御手段とを備えることを特徴とする。
また、本発明の撮像装置の他の特徴とするところは、外部装置と通信可能な撮像装置であって、前記外部装置との間の通信電波状態を測定する通信電波測定手段と、画像データを表示部に表示する表示手段と、前記通信電波測定手段により測定された通信電波状態が定められた値より悪い場合に、前記外部装置から画像データを受信する通信手段と、前記通信電波測定手段により測定された通信電波状態が定められた値より悪い場合には、前記通信手段により前記外部装置から受信した画像データを前記表示部に表示するように前記表示手段を制御する表示制御手段とを備えることを特徴とする。
【手続補正４】
【補正対象書類名】明細書
【補正対象項目名】００１２
【補正方法】変更
【補正の内容】
【００１２】
本発明の撮像装置の制御方法は、外部装置と通信可能な撮像装置の制御方法であって、前記外部装置との間の距離を測定する距離測定工程と、画像データを表示部に表示する表示制御工程と、前記外部装置から画像データを受信する通信工程とを備え、前記表示制御工程においては、前記距離測定工程において測定された距離が定められた範囲より大きい場合には、前記通信工程において前記外部装置から受信した画像データを前記表示部に表示するように制御することを特徴とする。
また、本発明の撮像装置の制御方法の他の特徴とするところは、外部装置と通信可能な撮像装置の制御方法であって、前記外部装置との間の通信電波状態を測定する通信電波測定工程と、画像データを表示部に表示する表示制御工程と、前記通信電波測定工程において測定された通信電波状態が定められた値より悪い場合に、前記外部装置から画像データを受信する通信工程とを備え、前記表示制御工程においては、前記通信電波測定工程において測定された通信電波状態が定められた値より悪い場合には、前記通信工程において前記外部装置から受信した画像データを前記表示部に表示するように制御することを特徴とする。
【手続補正５】
【補正対象書類名】明細書
【補正対象項目名】００１３
【補正方法】変更
【補正の内容】
【００１３】
本発明のプログラムは、外部装置との間の距離を測定する距離測定工程と、画像データを表示部に表示する表示制御工程と、前記外部装置から画像データを受信する通信工程とをコンピュータに実行させ、前記表示制御工程においては、前記距離測定工程において測定された距離が定められた範囲より大きい場合には、前記通信工程において前記外部装置から受信した画像データを前記表示部に表示するように制御することを特徴とする。
また、本発明のプログラムの他の特徴とするところは、外部装置との間の通信電波状態を測定する通信電波測定工程と、画像データを表示部に表示する表示制御工程と、前記通信電波測定工程において測定された通信電波状態が定められた値より悪い場合に、前記外部装置から画像データを受信する通信工程とをコンピュータに実行させ、前記表示制御工程においては、前記通信電波測定工程において測定された通信電波状態が定められた値より悪い場合には、前記通信工程において前記外部装置から受信した画像データを前記表示部に表示するように制御することを特徴とする。
【手続補正６】
【補正対象書類名】明細書
【補正対象項目名】００１４
【補正方法】変更
【補正の内容】
【００１４】
本発明によれば、相手機器の画像の閲覧を円滑に行うことができる。
【手続補正７】
【補正対象書類名】明細書
【補正対象項目名】００２７
【補正方法】変更
【補正の内容】
【００２７】
１２５は通信手段を構成する無線通信制御部であり、１２６はアンテナ部である。無線通信制御部１２５はアンテナ部１２６から発信・受信される電波を利用して任意の無線通信伝送路で外部の装置との通信を制御する。なお、本実施形態では、ＵＷＢ（Ultra Wide Band）を利用するものとする。また、Wireless LAN、Bluetooth（登録商標）等の伝送路を用いてもよい。
【手続補正８】
【補正対象書類名】明細書
【補正対象項目名】００３１
【補正方法】変更
【補正の内容】
【００３１】
次に、図２（ｂ）では、無線接続を継続して確立できる範囲で撮像装置２０１と通信相手である別の撮像装置２０２との距離が離れている状態を示している。なお、図２（ｂ）に示す状態は、図２（ａ）に示す状態の距離と比較して大きく離れているものとする。具体的には、撮像装置２０１及び通信相手である別の撮像装置２０２の保持者同士が直接お互いの画像表示部を見せ合うことができないような距離である。一般的に直接見せ合うことができる範囲は２〜３ｍであるとして、図２（ｂ）に示す状態において撮像装置間の距離はそれ以上であるものとする。